(57)【要約】【課題】電子カメラの表示装置に必要な情報を撮影画像とともに表示させる。【解決手段】電子カメラは、画像を表示する表示装置１１３と、表示装置１１３に画像とともに所定の情報を表示させる表示制御手段１０１、１１２、１１６と、撮影後の確認画像を表示する場合と記録媒体１６０に記録されている画像を再生表示する場合とで、異なる情報を画像とともに表示するように表示制御手段１０１、１１２、１１６へ指示する指示手段１０１とを備える。【選択図】図３
2008118531.tif 000002
【特許請求の範囲】
【請求項１】
画像を表示する表示装置と、
前記表示装置に前記画像とともに所定の情報を表示させる表示制御手段と、
撮影後の確認画像を表示する場合と記録媒体に記録されている画像を再生表示する場合とで、異なる情報を前記画像とともに表示するように前記表示制御手段へ指示する指示手段とを備えることを特徴とする電子カメラ。
【請求項２】
請求項１に記載の電子カメラにおいて、
前記指示手段は、前記確認画像を表示する場合、電池状態および前記記録媒体の残容量状態の少なくとも一方を示す情報を前記画像とともに表示するように前記表示制御手段へ指示することを特徴とする電子カメラ。
【請求項３】
請求項２に記載の電子カメラにおいて、
前記指示手段は、前記再生表示する場合、前記電池状態および前記残容量状態を示す情報に代えて前記再生表示中の画像とともに当該画像の他の情報を表示するように前記表示制御手段へ指示することを特徴とする電子カメラ。
【請求項４】
請求項２または３に記載の電子カメラにおいて、
前記記録媒体の残容量状態は、次の撮影用の情報であることを特徴とする電子カメラ。
【請求項５】
請求項４に記載の電子カメラにおいて、
前記指示手段は、連写撮影の場合、連写撮影画像の全てが前記記録媒体に記録される前に、前記連写撮影画像が全て記録される場合の予定残容量状態を示す情報を表示するように前記表示制御手段へ指示することを特徴とする電子カメラ。
【発明の詳細な説明】
【技術分野】
【０００１】
本発明は、電子カメラに関する。
【背景技術】
【０００２】
電子カメラの表示装置に電池状態を示す表示を行わせる技術が知られている（特許文献１参照）。従来技術では、電池状態が画像用表示装置と異なる表示装置に表示される。
【０００３】
【特許文献１】特開２００５−３７８１１号公報
【発明の開示】
【発明が解決しようとする課題】
【０００４】
従来技術では、電池状態の情報と、撮影した画像とを異なる表示装置から確認しなければならないという問題があった。
【課題を解決するための手段】
【０００５】
（１）本発明による電子カメラは、画像を表示する表示装置と、表示装置に画像とともに所定の情報を表示させる表示制御手段と、撮影後の確認画像を表示する場合と記録媒体に記録されている画像を再生表示する場合とで、異なる情報を画像とともに表示するように表示制御手段へ指示する指示手段とを備えることを特徴とする。
（２）請求項１に記載の電子カメラにおいて、指示手段は、確認画像を表示する場合、電池状態および記録媒体の残容量状態の少なくとも一方を示す情報を画像とともに表示するように表示制御手段へ指示することが好ましい。
（３）請求項２に記載の電子カメラにおいて、指示手段は、再生表示する場合、電池状態および残容量状態を示す情報に代えて再生表示中の画像とともに当該画像の他の情報を表示するように表示制御手段へ指示することが好ましい。
（４）請求項２または３に記載の電子カメラにおいて、記録媒体の残容量状態は、次の撮影用の情報であることが好ましい。
（５）請求項４に記載の電子カメラにおいて、指示手段は、連写撮影の場合、連写撮影画像の全てが記録媒体に記録される前に、連写撮影画像が全て記録される場合の予定残容量状態を示す情報を表示するように表示制御手段へ指示することが好ましい。
【発明の効果】
【０００６】
本発明による電子カメラでは、必要な情報を撮影画像とともに確認することができる。
【発明を実施するための最良の形態】
【０００７】
以下、図面を参照して本発明を実施するための最良の形態について説明する。図１は、本発明の一実施の形態による一眼レフ電子カメラを上から見た図である。図１において、電子カメラは、電源スイッチ１１８ａと、レリーズボタン１１８ｃと、情報表示ボタン１１８ｄと、操作ボタン１１８ｅと、撮影モードダイアル１１８ｂと、内蔵フラッシュ装置１０７とアクセサリシュー１２０とを有する。図１は、撮影用交換レンズが電子カメラから外された状態を表している。
【０００８】
図２は、図１の電子カメラを背面から見た図である。図２において、電子カメラは、ファインダ−接眼窓１２１と、十字操作ボタン１１８ｊと、再生ボタン１１８ｆと、メニューボタン１１８ｇと、ヘルプボタン１１８ｈと、情報変更ボタン１１８ｉと、コマンドダイアル１１８ｋと、外部表示装置１１３とを有する。内蔵フラッシュ装置１０７は使用位置と格納位置との間を移動可能に構成されている。図１および図２は、内蔵フラッシュ装置１０７が格納された状態を表している。
【０００９】
図３は、電子カメラの要部構成を説明するブロック図である。演算回路１０１は、マイクロコンピュータなどによって構成される。演算回路１０１は、後述する各ブロックから出力される信号を入力して所定の演算を行い、演算結果に基づく制御信号を各ブロックへ出力する。
【００１０】
撮像素子１０２は、ＣＣＤイメージセンサなどによって構成される。撮像素子１０２は、交換レンズ１５０を通過した被写体光による像を撮像し、撮像信号を撮像信号処理部１０４へ出力する。撮像素子１０２は、駆動部１０３から出力される駆動信号によって所定の動作タイミングで駆動される。
【００１１】
撮像信号処理部１０４は撮像素子１０２から出力される光電変換信号（撮像信号）に対するアナログ処理（ゲインコントロールなど）、およびアナログ処理後の撮像信号をディジタル信号に変換する。
【００１２】
測光装置１０５は、交換レンズ１５０を通して被写体光量を検出し、検出信号を演算回路１０１へ出力する。シーケンス装置１０６は、演算回路１０１からの指示によって不図示のミラーのアップ／ダウン、不図示の絞りの駆動、絞り係止の解除、および不図示のシャッタ装置のチャージなどを行う。
【００１３】
内蔵フラッシュ装置１０７は、演算回路１０１からの指示に応じて所定の光量で発光し、被写体を照明する。通信制御部１１９は、電子カメラに装着されている交換レンズ１５０との間、アクセサリシュー１２０に装着されている不図示の外部フラッシュ装置との間、電子カメラと無線または有線接続されている外部機器（パーソナルコンピュータ等）との間で通信を行う。電子カメラおよび交換レンズ１５０間の通信では、絞り値やレンズデータ等のレンズ情報、レンズの駆動指示などのレンズ制御情報などが送受される。電子カメラおよび外部フラッシュ装置間の通信では、外部フラッシュ装置側の電池情報、発光準備情報の他、発光可否、発光タイミングおよび発光量を指示する情報などが送受される。
【００１４】
操作部材１１８は複数の操作スイッチ、ボタンなどによって構成され、各設定操作に応じて操作信号を演算回路１０１へ出力する。操作部材１１８は、電源スイッチ１１８ａ，撮影モードダイアル１１８ｂ、レリーズボタン１１８ｃ、情報表示ボタン１１８ｄ、操作ボタン１１８ｅ、再生ボタン１１８、メニューボタン１１８ｇ、ヘルプボタン１１８ｈ、情報変更ボタン１１８ｉ、十字操作ボタン１１８ｊ、およびコマンドダイアル１１８ｋを含む。
【００１５】
電源制御部１０８は、演算回路１０１からの指示に応じて各ブロックへの通電オン／オフ制御を行う。電源部１０９は、不図示の電池電圧を各ブロックで必要な電圧へ変換する。また、電源部１０９は所定時間ごとに電池電圧を検出し、検出信号を演算回路１０１へ送出する。
【００１６】
ファインダ内表示装置制御部１１０は、演算回路１０１からの指示に応じてファインダ内表示装置１１１の表示制御信号を生成する。ファインダ内表示装置１１１に表示する内容は、たとえば電池残量を示すマーク、および記録媒体１６０の残容量を示す情報などである。ファインダ内表示装置１１１はファインダ−接眼窓１２１から観察可能な位置に配設され、ファインダ内表示装置制御部１１０が生成した表示制御信号を受けて表示を行う。
【００１７】
外部表示装置制御部１１２は、演算回路１０１からの指示に応じて外部表示装置１１３の表示制御信号を生成する。外部表示装置１１３に表示する内容は、たとえば、撮影画像や操作メニュー、電子カメラに設定されている内容（露出モード、感度、シャッタ速度、絞り値など）である。外部表示装置１１３はカラー液晶表示パネルによって構成され、外部表示装置制御部１１２が生成した表示制御信号を受けて表示を行う。
【００１８】
コントローラ１１４は、演算回路１０１からの指示に応じて記録媒体１６０に撮影画像のデータを保存したり、記録媒体１６０に保存しているデータを読み出したりする。記録媒体１６０は、たとえば、メモリカードなどのデータストレージ部材によって構成され、電子カメラに対して着脱可能である。
【００１９】
画像処理部１１５は、演算回路１０１からの指示に応じてディジタル変換後の画像データにホワイトバランス処理などの画像処理を行う他、画像処理後の画像データを所定の形式で圧縮する圧縮処理、圧縮された画像データを伸長する伸長処理などを行う。
【００２０】
ＲＡＭ１１６は演算回路１０１による作業用メモリとして使用される他、外部表示装置１１３に表示されるデータを格納するビデオメモリ(VRAM)として使用される。ＲＯＭ１１７は演算回路１０１が実行するプログラムを格納する。
【００２１】
＜撮影画像の表示＞
電子カメラは、以下の２つの場合に外部表示装置１１３へ撮影画像を表示する。
表示１：撮影処理終了後に確認画像（撮影画像）を自動表示する。ただし、確認画像を自動表示するように設定されている場合のみ表示する。
表示２：再生ボタン１１８ｆが押下操作された場合に記録媒体１６０に記録されている画像を再生表示する。
【００２２】
演算回路１０１が行う画像表示処理の流れを図４のフローチャートを参照して説明する。図４の処理は、撮影後（撮影画像データをＲＡＭ１１６内の所定のバッファ領域に格納した後）または再生ボタン１１８ｆの押下操作時（再生画像表示中を除く）に起動される。
【００２３】
図４のステップＳ１０１において、演算回路１０１は撮影後か否かを判定する。演算回路１０１は、撮影後である場合にステップＳ１０１を肯定判定してステップＳ１０２へ進み、再生ボタン１１８ｆの押下時である場合にはステップＳ１０１を否定判定してステップＳ１０８へ進む。
【００２４】
ステップＳ１０２において、演算回路１０１は、直前の撮影処理で取得した画像データをＲＡＭ１１６の所定領域（VRAM）に展開してステップＳ１０３へ進む。ステップＳ１０３において、演算回路１０１は、画像情報（少なくとも画質モードおよび画像サイズに関する情報を含む）をＲＡＭ１１６の所定領域（VRAM）に展開してステップＳ１０４へ進む。
【００２５】
ステップＳ１０４において、演算回路１０１は、電源部１０９から送られる電池電圧検出信号に基づいて電池の残容量を検出し、ステップＳ１０５へ進む。ステップＳ１０５において、演算回路１０１は、残容量に応じたアイコン情報を生成し、ＲＡＭ１１６の所定領域（VRAM）に展開してステップＳ１０６へ進む。
【００２６】
ステップＳ１０６において、演算回路１０１は記録媒体１１６の残コマ数を算出する。演算回路１０１は、撮影した画像データの記録に必要な容量を記録媒体１１６の残容量から減算し、減算後の容量に記録可能なコマ数を新たな残コマ数としてステップＳ１０７へ進む。
【００２７】
ステップＳ１０７において、演算回路１０１は、残コマ数を示す情報をＲＡＭ１１６の所定領域（VRAM）に展開して図４による処理を終了する。図５は、ステップＳ１０２〜ステップＳ１０７の処理によって外部表示装置１１３に表示される確認画像を例示する図である。図５において、撮影画像５０の下部に電池アイコン表示５１、残コマ表示５２、画質モード表示５３および画像サイズ表示５４がそれぞれ表示される。
【００２８】
図４のステップＳ１０８において、演算回路１０１は、記録媒体（メモリカード）１６０から画像データを読み出してステップＳ１０９へ進む。ステップＳ１０９において、演算回路１０１は、読み出した画像データをＲＡＭ１１６の所定領域（VRAM）に展開してステップＳ１１０へ進む。ステップＳ１１０において、演算回路１０１は、画像情報（ファイル名称、撮影日時、画質モードおよび画像サイズに関する情報を含む）をＲＡＭ１１６の所定領域（VRAM）に展開して図４による処理を終了する。
【００２９】
図６は、ステップＳ１０８〜ステップＳ１１０の処理によって外部表示装置１１３に表示される再生画像を例示する図である。図６において、読み出し画像６０の下部にファイル名称表示６１、撮影日時表示６２、画質モード表示６３および画像サイズ表示６４がそれぞれ表示される。図５と比べて電池アイコン表示５１、残コマ表示５２が表示されていない点が異なる。
【００３０】
残容量に応じたアイコン情報を生成する（図８のステップＳ１０５に対応）処理について、図７のフローチャートを参照して説明する。図７のステップＳ２０１において、演算回路１０１は電池の残容量判定を行う。電池電圧が最大電圧（たとえば満充電時の電圧）の７０％以上の場合、演算回路１０１はステップＳ２０２へ進み、電池アイコンの内部全体を塗りつぶすようにアイコン情報を生成し、ＲＡＭ１１６の所定領域（VRAM）に展開する。
【００３１】
電池電圧が最大電圧（たとえば満充電時の電圧）の７０％未満で１５％以上の場合、演算回路１０１はステップＳ２０３へ進み、電池アイコンの内部の２／３を塗りつぶすようにアイコン情報を生成し、ＲＡＭ１１６の所定領域（VRAM）に展開する。
【００３２】
電池電圧が最大電圧（たとえば満充電時の電圧）の１５％未満の場合、演算回路１０１はステップＳ２０４へ進み、電池アイコンの内部の１／３を塗りつぶすようにアイコン情報を生成し、ＲＡＭ１１６の所定領域（VRAM）に展開する。
【００３３】
以上説明した実施形態によれば、次の作用効果が得られる。
（１）画像表示に用いる外部表示装置１１３に画像を表示させる場合、撮影後の確認画像の表示時と、記録媒体１６０に記録されている画像データの再生画像の表示時とで、異なる情報を画像とともに表示させるので、ユーザは必要な情報を画像とともに確認することができる。
【００３４】
（２）撮影後の確認画像５０を表示する場合、電池状態および記録媒体１６０の残容量状態を示す情報５１、５２を確認画像５０とともに表示したので、ユーザは外部表示装置１１３から必要な情報を得ることができる。電池状態および残容量状態は撮影ごとに変化するので、撮影後ただちに確認できることは重要である。また、撮影画像を撮影後ただちに確認できることも重要である。
【００３５】
（３）記録媒体１６０に記録されている画像データの再生画像６０を表示する場合、電池状態および記録媒体１６０の残容量状態を示す情報５１、５２に代えて、ファイル名や撮影日時を示す情報６１、６２を再生画像６０とともに表示したので、ユーザは外部表示装置１１３から必要な情報を得ることができる。表示する情報を切替えることによって情報表示エリアを小さく抑え、確認画像５０や再生画像６０を広く表示させることができる。
【００３６】
（変形例１）
連写撮影を行う場合の演算回路１０１は、図４に例示した単写撮影する場合のフローチャートに代えて図８に例示するフローチャートを実行する。図８のステップＳ１０１〜ステップＳ１０５およびステップＳ１０８〜ステップＳ１１０までの処理は、それぞれ図４における同ステップ番号の処理と同様なので説明を省略する。
【００３７】
ステップＳ１０６Ａにおいて、演算回路１０１は、上記バッファ領域内に格納されている複数の連写画像データの記録に必要な容量を記録媒体１１６の残容量から減算する。演算回路１０１は、減算後の容量に記録可能な予定残コマ数を新たな残コマ数としてステップＳ１０７へ進む。
【００３８】
ステップＳ１０７の処理は、図４における同ステップ番号の処理と同様なので説明を省略する。ステップＳ１２０において、演算回路１０１は、連写撮影された複数の連写画像データについて、全コマ分をＲＡＭ１１６の所定領域(VRAM)に展開したか否かを判定する。演算回路１０１は、未だＲＡＭ１１６の所定領域(VRAM)に展開していないコマの画像データが存在する場合にはステップＳ１２０を否定判定してステップＳ１０２へ戻る。ステップＳ１０２へ戻った演算回路１０１は、ステップＳ１０２において未展開の画像データを１コマ分ＲＡＭ１１６の所定領域(VRAM)に上書き展開する。これにより、次コマの確認画像が外部表示装置１１３に表示される。
【００３９】
一方、ステップＳ１２０において演算回路１０１は、ＲＡＭ１１６の所定領域(VRAM)へ未展開であるコマの画像データが存在しない場合にはステップＳ１２０を肯定判定し、図８による処理を終了する。
【００４０】
以上説明した変形例２によれば、連写撮影したコマの画像の全てが記録媒体１０６に記録される前に、連写撮影した画像の全てが記録される場合の予定残コマ数を確認画像とともに表示する。これにより、ユーザは、連写撮影した最初のコマの確認画像とともに最終的な予定残コマ数を外部表示装置１１３から知ることができる。また、確認画像の表示コマを進めるたびにステップＳ１０４〜ステップＳ１０７の処理を繰り返すので、電池残容量および残コマ数の情報が逐次更新表示される。
【００４１】
（変形例２）
図８において２コマ目以降の画像データをＲＡＭ１１６の所定領域(VRAM)に上書き展開（ステップＳ１０３）する場合、ステップＳ１０４〜ステップＳ１０７の処理をスキップさせてもよい。この場合の演算回路１０１は、バッファ領域内の最終コマの画像データをＲＡＭ１１６の所定領域(VRAM)に上書き展開した時点でステップＳ１０４〜ステップＳ１０７の処理を再度実行すれば、連写撮影した全コマの確認画像を表示終了後、最新の電池残容量および残コマ数の情報を外部表示装置１１３に表示させることができる。
【００４２】
（変形例３）
以上の説明では、撮影処理終了後に外部表示装置１１３に表示する確認画像（撮影画像）において電池アイコン表示５１および残コマ表示５２の両方を表示させたが、いずれか一方のみを表示させてもよい。
【００４３】
以上の説明はあくまで一例であり、上記の実施形態の構成に何ら限定されるものではない。
【図面の簡単な説明】
【００４４】
【図１】本発明の一実施の形態による電子カメラを上から見た図である。
【図２】図１の電子カメラを背面から見た図である。
【図３】電子カメラの要部構成を説明するブロック図である。
【図４】画像表示処理の流れを説明するフローチャートである。
【図５】外部表示装置に表示される確認画像を例示する図である。
【図６】外部表示装置に表示される再生画像を例示する図である。
【図７】アイコン情報を生成する処理を説明するフローチャートである。
【図８】連写撮影時の画像表示処理の流れを説明するフローチャートである。
【符号の説明】
【００４５】
１０１…演算回路
１１２…外部表示装置制御部
１１３…外部表示装置
１１６…ＲＡＭ
１１８…操作部材
【図１】
2008118531.tif 000003
【図２】
2008118531.tif 000004
【図３】
2008118531.tif 000005
【図４】
2008118531.tif 000006
【図５】
2008118531.tif 000007
【図６】
2008118531.tif 000008
【図７】
2008118531.tif 000009
【図８】
2008118531.tif 000010